(57)【特許請求の範囲】
【請求項１】
ディスプレイ部、放送受信手段及びネットワーク接続手段を備えるクライアント端末機と、ネットワークを介して、放送に含まれた広告に関連した情報を当該クライアント端末機に提供する情報提供サーバと、を含むシステム（以下、「広告関連情報提供システム」という）であって、
前記情報提供サーバは、
放送チャネルを介して提供される放送に含まれた広告それぞれに対して対応する関連情報を格納する関連情報管理部と、
放送チャネルを介して提供される放送途中で、前記関連情報管理部に格納された広告が再生されるかを識別する広告情報識別部と、
前記広告情報識別部で識別された広告に対して前記関連情報管理部に格納されている関連情報をネットワークを介してクライアント端末機へ伝送する関連情報発送部と、を含み、
前記クライアント端末機は、
前記受信した関連情報をディスプレイ部を介して表示するように制御する関連情報表示部と、
放送受信手段を介して自分が受信している放送チャネル識別情報を獲得する放送チャネル確認部と、を含み、
前記クライアント端末機の放送チャネル確認部は、前記放送受信手段を介して受信される放送のオーディオ、ビデオまたはこれらの組み合わせの少なくとも一つによるフィンガープリント情報を抽出し、抽出されたフィンガープリント情報をチャネル情報識別サーバーへ伝送して放送チャネル確認を要請し、
前記チャネル情報識別サーバーは、放送チャネルを介して提供される放送のオーディオ、ビデオ又はこれらの組み合わせの少なくとも一つによるフィンガープリント情報を抽出し、抽出されたフィンガープリント情報と前記クライアント端末機の放送チャネル確認部から受信されるフィンガープリント情報とを比較し、クライアント端末機が現在受信している放送のチャネル情報を確認し、確認されたチャネル情報を前記クライアント端末機へ伝送し、
前記クライアント端末機の放送チャネル確認部は、前記チャネル情報識別サーバーから受信した放送のチャネル情報によって、自分が受信している放送チャネル識別情報を獲得する、
ことを特徴とする、広告関連情報提供システム。
【請求項２】
前記関連情報発送部は、前記広告情報識別部で識別された広告が再生される放送チャネル識別情報を前記関連情報と共にクライアント端末機へ伝送し、
前記クライアント端末機の関連情報表示部は、前記受信した放送チャネル識別情報と前記放送チャネル確認部によって獲得された放送チャネル識別情報とが一致する場合、前記関連情報をディスプレイ部を介して表示することを特徴とする、請求項１に記載の広告関連情報提供システム。
【請求項３】
ディスプレイ部、放送受信手段及びネットワーク接続手段を備えるクライアント端末機へ、ネットワークを介して、放送に含まれた広告に関連した情報を提供するシステム（以下、「広告関連情報提供システム」という）であって、
放送チャネルを介して提供される放送に含まれた広告それぞれに対して対応する関連情報を格納する関連情報管理部と、
放送チャネルを介して提供される放送途中で、前記関連情報管理部に格納された広告が再生されるかを識別する広告情報識別部と、
前記広告情報識別部で識別された広告に対して前記関連情報管理部に格納されている関連情報をネットワークを介してクライアント端末機へ伝送する関連情報発送部と、
放送チャネルを介して提供される放送のオーディオ、ビデオ又はこれらの組み合わせの少なくとも一つによるフィンガープリント情報を抽出するチャネル情報識別サーバーと、を含み、
前記チャネル情報識別サーバーは、前記クライアント端末機が受信した放送のオーディオ、ビデオまたはこれらの組み合わせの少なくとも一つから抽出したフィンガープリント情報を前記クライアント端末機から受信し、当該受信したフィンガープリント情報と、自ら抽出したフィンガープリント情報とを比較することによって、前記クライアント端末機が受信している放送のチャネル情報を確認し、確認したチャネル情報を前記クライアント端末機へ伝送し、前記クライアント端末機が受信している放送チャネル識別情報を当該クライアント端末機に獲得させる、
ことを特徴とする、広告関連情報提供システム。
【請求項４】
前記関連情報発送部は、前記広告情報識別部で識別された広告が再生される放送チャネル識別情報を前記関連情報と共にクライアント端末機へ伝送し、当該伝送した放送チャネル識別情報と、前記チャネル情報識別サーバーが前記クライアント端末機に獲得させた放送チャネル識別情報とが一致する場合、前記関連情報をディスプレイ部を介して前記クライアント端末機に表示させる、
ことを特徴とする、請求項３に記載の広告関連情報提供システム。
【請求項５】
前記クライアント端末機の放送チャネル確認部は、放送チャネル識別情報を前記関連情報発送部へ伝送し、
前記広告関連情報提供システムの関連情報発送部は、クライアント端末機から受信される放送チャネル識別情報に基づいて前記広告情報識別部で識別された広告を再生しているクライアント端末機を確認し、確認されたクライアント端末機へ、前記関連情報管理部に格納されている関連情報をネットワークを介して伝送することを特徴とする、請求項１から４のいずれか１項に記載の広告関連情報提供システム。
【請求項６】
前記システムの関連情報発送部は、接続されているクライアント端末機へ、前記識別された広告を再生しているか否かを確認するための放送チャネル確認要請信号を伝送し、
前記クライアント端末機の放送チャネル確認部は、前記放送チャネル確認要請信号に基づいて放送チャネル識別情報を前記関連情報発送部へ伝送することを特徴とする、請求項５に記載の広告関連情報提供システム。
【請求項７】
前記チャネル情報識別サーバーは前記広告関連情報提供システム内に含まれたことを特徴とする、請求項１から６のいずれか１項に記載の広告関連情報提供システム。
【請求項８】
前記関連情報管理部は、放送チャネルを介して提供される放送に含まれた広告それぞれに対して予め抽出しておいたオーディオ、ビデオまたはこれらの組み合わせの少なくとも一つによるフィンガープリント情報を前記広告それぞれに対応して関連情報と共に格納し、
前記広告情報識別部は、放送チャネルを介して提供される放送のオーディオ、ビデオまたはこれらの組み合わせの少なくとも一つによるフィンガープリント情報を抽出し、抽出されたフィンガープリント情報と前記関連情報管理部に予め格納しておいた広告それぞれに対するフィンガープリント情報とを比較することにより、前記関連情報管理部に格納された広告が再生されるかを識別することを特徴とする、請求項１から７のいずれか１項に記載の広告関連情報提供システム。
【請求項９】
前記クライアント端末機の関連情報表示部は、前記受信した関連情報を、ディスプレイ部を介して、現在受信している放送画面とオーバーレイするように表示することを特徴とする、請求項１から８のいずれか１項に記載の広告関連情報提供システム。
【請求項１０】
前記クライアント端末機の関連情報表示部は、前記受信した関連情報を、ディスプレイ部を介して、現在受信している放送画面とオーバーレイしないように部分的に表示することを特徴とする、請求項１から９のいずれか１項に記載の広告関連情報提供システム。
【請求項１１】
前記クライアント端末機は、前記表示される関連情報に基づいたユーザーの入力信号を受信し、受信された入力信号に基づいた追加動作要請信号を前記システム又は外部の別途装置へ伝送するユーザー情報処理部をさらに含むことを特徴とする、請求項１から１０のいずれか１項に記載の広告関連情報提供システム。
【請求項１２】
前記クライアント端末機の放送チャネル確認部は、フィンガープリント情報をチャネル情報識別サーバーへ伝送しながら時間情報を共に伝送し、
前記チャネル情報識別サーバーは、前記広告関連情報提供システムの絶対時間情報と前記クライアント端末機から伝送される時間情報とを比較し、クライアント端末機と広告関連情報提供システムの放送画面の時間オフセット情報を獲得してクライアント端末機へ伝送することを特徴とする、請求項１から１１のいずれか１項に記載の広告関連情報提供システム。
【請求項１３】
前記関連情報発送部は前記クライアント端末機へ関連情報と共に絶対時間情報を伝送し、
前記クライアント端末機は前記受信した絶対時間情報と放送画面の時間オフセット情報に基づいて関連情報を表示することを特徴とする、請求項１２に記載の広告関連情報提供システム。
【請求項１４】
ネットワークを介して、放送に含まれた広告に関連した情報を提供するシステムから、ディスプレイ部、放送受信手段及びネットワーク接続手段を備えるクライアント端末機へ広告関連情報を提供する方法において、
放送チャネルを介して提供される放送途中で、予め格納しておいた広告が再生されるかを識別する第１段階と、
前記識別された広告に対して予め格納されている関連情報をネットワークを介してクライアント端末機へ伝送する第２段階と、
前記クライアント端末機が前記受信した関連情報をディスプレイ部を介して表示する段階と、
前記クライアント端末機が前記放送受信手段を介して自分が受信している放送チャネル識別情報を獲得する段階とを含み、
前記放送チャネル識別情報を獲得する段階では、
前記クライアント端末機は放送受信手段を介して受信される放送のオーディオ、ビデオ又はこれらの組み合わせの少なくとも一つによるフィンガープリント情報を抽出し、抽出されたフィンガープリント情報をチャネル情報識別サーバーへ伝送して放送チャネル確認を要請し、
前記チャネル情報識別サーバーは放送チャネルを介して提供される放送のオーディオ、ビデオまたはこれらの組み合わせの少なくとも一つによるフィンガープリント情報を抽出し、抽出されたフィンガープリント情報と前記クライアント端末機から受信されるフィンガープリント情報とを比較することにより、クライアント端末機が現在受信している放送のチャネル情報を確認し、確認されたチャネル情報を前記クライアント端末機へ伝送し、
前記クライアント端末機は前記チャネル情報識別サーバーから受信した放送のチャネル情報によって、自分が受信している放送チャネル識別情報を獲得する、
ことを特徴とする、広告関連情報提供方法。
【発明の詳細な説明】
【技術分野】
【０００１】
本発明は、 放送に含まれた広告に関連した情報をクライアント端末機側へ提供するシステム及び方法に係り、より詳しくは、放送を視聴しているクライアント端末機側へ、放送に含まれた広告に関連した多様な関連情報をインターネットなどのネットワークを介して実時間で提供するようにするシステム及び方法に関する。
【背景技術】
【０００２】
放送を介して様々な形態の広告がユーザーに提供されている。ところが、このような従来の一般放送広告は、従来の放送網を介して提供される、一方的且つその内容も固定的なものであって、放送を視聴しているユーザーとのインタラクティブな広告方式を実現することは難しいという限界がある。
【０００３】
最近、放送を受信する従来のＴＶなどの装置にネットワーク接続機能などを含ませてインターネットサービスの提供を受けられるようにする、いわゆるスマートＴＶ(smart TV)などの装置が提案されている。このようなスマートＴＶなどの装置は、放送を受信することに止まるのではなく、インターネットサービスを提供することができ、アプリケーションをダウンロードして実行させることができるようにすることにより、実際にはＴＶとコンピュータとが組み合わせられたタイプの装置と看做すことができる。このように放送受信機能とインターネットサービス提供機能を備える装置は、スマートＴＶだけでなく、ＤＭＢ受信機能を備える移動通信端末機、インターネットストリミング放送サービスを行うコンピュータなども含むが、このように放送とネットワークサービスを同時に行うことが可能な装置を用いて、従来の一般広告方式から脱皮してユーザーにさらに満足感を与えながらユーザーの参加を誘導することが可能な新しいタイプの広告方式の開発が求められるといえる。
【発明の概要】
【発明が解決しようとする課題】
【０００４】
本発明の目的は、放送受信手段とネットワーク接続手段を備えるクライアント端末機に対して、実時間で放送を視聴しながら、放送に含まれた広告が再生される瞬間、広告に関連した多様な関連情報を、実際該当放送を視聴しているクライアント端末機側へ提供することができるようにするシステム及び方法を提供することにある。
【０００５】
また、本発明の他の目的は、実際広告を視聴しているユーザーに対してのみ、広告に関連した関連情報を提供することができるので、広告のターゲッティング効果を高めて広告の効果を増大させると共にユーザーの満足度を向上させることが可能なシステム及び方法を提供することにある。
【０００６】
また、本発明の別の目的は、広告と広告関連情報を分離して別途のチャネルとして提供することを可能にすることにより、広告に関連した関連情報を広告主又は広告サービス提供側で簡便かつ容易に変更して広告効果を増大させることが可能なシステム及び方法を提供することにある。
【０００７】
また、本発明の別の目的は、広告に関連した関連情報を受信したユーザーが追加動作を行うことを可能にすることにより、広告により購買や情報獲得などの２次的な消費者連結活動を拡大することができるので、ユーザーのインタラクティブな参与度を増進させて結果的に広告効果を増大させることが可能なシステム及び方法を提供することにある。
【０００８】
また、本発明の別の目的は、フィンガープリント情報を用いて広告再生有無を実時間で正確に把握することができ、クライアント端末機のチャンネル識別情報を正確に確認することができるので、より精巧かつ正確な広告提供方法及びシステムを提供することにある。
【課題を解決するための手段】
【０００９】
上記目的を達成するために、本発明は、ディスプレイ部、放送受信手段及びネットワーク接続手段を備えるクライアント端末機側へ、ネットワークを介して、放送に含まれた広告に関連した情報を提供するシステム（以下、「広告関連情報提供システム」という）であって、放送チャネルを介して提供される放送に含まれた広告それぞれに対して対応する関連情報を格納する関連情報管理部と、放送チャネルを介して提供される放送途中で、前記関連情報管理部に格納された広告が再生されるかを識別する広告情報識別部と、前記広告情報識別部で識別された広告に対して前記関連情報管理部に格納されている関連情報をネットワークを介してクライアント端末機側へ伝送する関連情報発送部とを含み、前記クライアント端末機は、前記受信した関連情報をディスプレイ部を介して表示するように制御する関連情報表示部を含むことを特徴とする、広告関連情報提供システムを提供する。
【００１０】
ここで、前記クライアント端末機は、放送受信手段を介して自分が受信している放送チャネル識別情報を獲得する放送チャネル確認部をさらに含むことができる。
【００１１】
また、前記クライアント端末機の放送チャネル確認部は、放送受信手段を介して受信される放送のオーディオ、ビデオまたはこれらの組み合わせの少なくとも一つによるフィンガープリント情報を抽出し、抽出されたフィンガープリント情報をチャネル情報識別サーバーへ伝送して放送チャネル確認を要請し、前記チャネル情報識別サーバーは、放送チャネルを介して提供される放送のオーディオ、ビデオ又はこれらの組み合わせの少なくとも一つによるフィンガープリント情報を抽出し、抽出されたフィンガープリント情報と前記クライアント端末機の放送チャネル確認部から受信されるフィンガープリント情報とを比較して、クライアント端末機が現在受信している放送のチャネル情報を確認し、確認されたチャネル情報を前記クライアント端末機へ伝送し、前記クライアント端末機の放送チャネル確認部は、前記チャネル情報識別サーバーから受信した放送のチャネル情報によって、自分が受信している放送チャネル識別情報を獲得することができる。
【００１２】
また、前記関連情報発送部は、前記広告情報識別部で識別された広告が再生される放送チャネル識別情報を前記関連情報と共にクライアント端末機側へ伝送し、前記クライアント端末機の関連情報表示部は、前記受信した放送チャネル識別情報と前記放送チャネル確認部によって獲得された放送チャネル識別情報とが一致する場合、前記関連情報をディスプレイ部を介して表示するようにすることができる。
【００１３】
また、前記クライアント端末機の放送チャネル確認部は、放送チャネル識別情報を前記関連情報発送部へ伝送し、前記広告関連情報提供システムの関連情報発送部は、クライアント端末機から受信される放送チャネル識別情報に基づいて前記広告情報識別部で識別された広告を再生しているクライアント端末機を確認し、確認されたクライアント端末機側へ、前記関連情報管理部に格納されている関連情報をネットワークを介して伝送することができる。
【００１４】
また、前記システムの関連情報発送部は、接続されているクライアント端末機へ、前記識別された広告を再生しているか否かを確認するための放送チャネル確認要請信号を伝送し、前記クライアント端末機の放送チャネル確認部は、前記放送チャネル確認要請信号に基づいて放送チャネル識別情報を前記関連情報発送部へ伝送することもできる。
【００１５】
また、前記チャネル情報識別サーバーは前記広告関連情報提供システム内に含まれてもよい。
【００１６】
また、前記関連情報管理部は、放送チャネルを介して提供される放送に含まれた広告それぞれに対して予め抽出しておいたオーディオ、ビデオまたはこれらの組み合わせの少なくとも一つによるフィンガープリント情報を前記広告それぞれに対応して関連情報と共に格納し、前記広告情報識別部は、放送チャネルを介して提供される放送のオーディオ、ビデオまたはこれらの組み合わせの少なくとも一つによるフィンガープリント情報を抽出し、抽出されたフィンガープリント情報と前記関連情報管理部に予め格納しておいた広告それぞれに対するフィンガープリント情報とを比較することにより、前記関連情報管理部に格納された広告が再生されるかを識別することができる。
【００１７】
また、前記クライアント端末機の関連情報表示部は、前記受信した関連情報を、ディスプレイ部を介して、現在受信している放送画面とオーバーレイするように表示することができる。
【００１８】
また、前記クライアント端末機の関連情報表示部は、前記受信した関連情報を、ディスプレイ部を介して、現在受信している放送画面とオーバーレイしないように部分的に表示することができる。
【００１９】
また、前記クライアント端末機は、前記表示される関連情報に基づいたユーザーの入力信号を受信し、受信された入力信号に基づいた追加動作要請信号を前記システム又は外部の別途装置へ伝送するユーザー情報処理部をさらに含んでもよい。
【００２０】
また、前記クライアント端末機の放送チャネル確認部は、フィンガープリント情報をチャネル情報識別サーバーへ伝送しながら時間情報を共に伝送し、前記チャネル情報識別サーバーは、前記広告関連情報提供システムの絶対時間情報と前記クライアント端末機から伝送される時間情報とを比較し、クライアント端末機と広告関連情報提供システムの放送画面の時間オフセット情報を獲得してクライアント端末機へ伝送することができる。
【００２１】
また、前記関連情報発送部は、前記クライアント端末機側に関連情報と共に絶対時間情報を伝送し、前記クライアント端末機は、前記受信した絶対時間情報と放送画面の時間オフセット情報に基づいて関連情報を表示することができる。
【００２２】
本発明の他の観点によれば、ネットワークを介して、放送に含まれた広告に関連した情報を提供するシステムから、ディスプレイ部、放送受信手段及びネットワーク接続手段を備えるクライアント端末機側へ広告関連情報を提供する方法において、放送チャネルを介して提供される放送途中で、予め格納しておいた広告が再生されるかを識別する第１段階と、前記識別された広告に対して予め格納されている関連情報をネットワークを介してクライアント端末機側へ伝送する第２段階とを含み、前記クライアント端末機は、前記受信した関連情報をディスプレイ部を介して表示することを特徴とする、広告関連情報提供方法を提供する。
【００２３】
ここで、前記クライアント端末機は放送受信手段を介して自分が受信している放送チャネル識別情報を獲得する段階をさらに含んでもよい。
【００２４】
また、前記チャネル識別情報を獲得する段階では、前記クライアント端末機は放送受信手段を介して受信される放送のオーディオ、ビデオ又はこれらの組み合わせの少なくとも一つによるフィンガープリント情報を抽出し、抽出されたフィンガープリント情報をチャネル情報識別サーバーへ伝送して放送チャネル確認を要請し、前記チャネル情報識別サーバーは、放送チャネルを介して提供される放送のオーディオ、ビデオまたはこれらの組み合わせの少なくとも一つによるフィンガープリント情報を抽出し、抽出されたフィンガープリント情報と前記クライアント端末機から受信されるフィンガープリント情報とを比較して、クライアント端末機が現在受信している放送のチャネル情報を確認し、確認されたチャネル情報を前記クライアント端末機へ伝送し、前記クライアント端末機は、前記チャネル情報識別サーバーから受信した放送のチャネル情報によって自分の受信している放送チャネル識別情報を獲得することができる。
【００２５】
また、前記第２段階では、前記関連情報と共に、前記識別された広告が再生される放送チャネル識別情報をクライアント端末機側へ伝送し、前記クライアント端末機は、前記受信した放送チャネル識別情報と前記放送チャネル確認部によって獲得された放送チャネル識別情報とが一致する場合、前記関連情報をディスプレイ部を介して表示するようにすることができる。
【００２６】
また、前記第２段階の前に、前記クライアント端末機が自分の受信している放送チャネル識別情報を獲得して広告関連情報提供システムへ伝送する第１−１段階をさらに含み、前記第２段階では、前記第１−１段階によってクライアント端末機から受信される放送チャネル識別情報に基づいて識別された広告を再生しているクライアント端末機を確認し、確認されたクライアント端末機側へ関連情報をネットワークを介して伝送することができる。
【００２７】
また、前記第１−１段階は、前記広告関連情報提供システムに接続されているクライアント端末機が、前記識別された広告を再生しているか否かを確認するための広告関連情報提供システムからの放送チャネル確認要請信号に応答することにより行われ得る。
【００２８】
また、前記チャネル情報識別サーバーは前記広告関連情報提供システム内に含まれてもよい。
【００２９】
また、前記広告関連情報提供システムは、放送チャネルを介して提供される放送に含まれた広告それぞれに対して予め抽出しておいたオーディオ、ビデオ又はこれらの組み合わせの少なくとも一つによるフィンガープリント情報を、前記広告それぞれに対応して関連情報と共に格納しておき、前記第１段階では、放送チャネルを介して提供される放送のオーディオ、ビデオ又はこれらの組み合わせの少なくとも一つによるフィンガープリント情報を抽出し、抽出されたフィンガープリント情報と前記予め格納しておいた広告それぞれに対するフィンガープリント情報とを比較することにより、前記格納された広告が再生されるかを識別することができる。
【００３０】
また、前記第２段階の後、前記クライアント端末機は、前記受信した関連情報を、ディスプレイ部を介して、現在受信している放送画面とオーバーレイするように表示することができる。
【００３１】
また、前記第２段階の後、前記クライアント端末機は、前記受信した関連情報を、ディスプレイ部を介して、現在受信している放送画面とオーバーレイしないように部分的に表示することができる。
【００３２】
また、前記第２段階の後、前記クライアント端末機が前記表示される関連情報に基づいたユーザーの入力信号を受信し、受信された入力信号に基づいた追加動作要請信号を前記システム又は外部の別途装置へ伝送する段階をさらに含んでもよい。
【００３３】
また、前記クライアント端末機は、フィンガープリント情報をチャネル情報識別サーバーへ伝送しながら時間情報を共に伝送し、前記チャネル情報識別サーバーは、前記広告関連情報提供システムの絶対時間情報と前記クライアント端末機から伝送される時間情報とを比較し、クライアント端末機と広告関連情報提供システムの放送画面の時間オフセット情報を獲得してクライアント端末機へ伝送することができる。
【００３４】
また、前記広告関連情報提供システムは前記クライアント端末機側へ関連情報と共に絶対時間情報を伝送し、前記クライアント端末機は前記受信した絶対時間情報と放送画面の時間オフセット情報に基づいて関連情報を表示することもできる。
【発明の効果】
【００３５】
本発明によれば、放送受信手段とネットワーク接続手段を備えるクライアント端末機に対して、実時間で放送を視聴しながら、放送に含まれた広告が再生される瞬間、広告に関連した多様な関連情報を、実際該当放送を視聴しているクライアント端末機側へ提供することができるようにするシステム及び方法を提供することができる。
【００３６】
また、本発明は、実際広告を視聴しているユーザーに対してのみ広告に関連した関連情報を提供することができるので、広告のターゲッティング効果を高めて広告の効果を増大させると共にユーザーの満足度を向上させることが可能なシステム及び方法を提供することができる。
【００３７】
また、本発明は、広告と広告関連情報を分離して別途のチャネルとして提供することを可能にすることにより、広告に関連した関連情報を広告主または広告サービス提供側で簡便且つ容易に変更して広告効果を増大させることが可能なシステム及び方法を提供することができる。
【００３８】
また、本発明によれば、広告に関連した関連情報を受信したユーザーが追加動作を行うことを可能にすることにより、広告によって購買や情報獲得などの２次的な消費者連結活動を拡大することができるので、ユーザーのインタラクティブな参与度を増進させて結果的に広告効果を増大させることができる。
【００３９】
また、本発明によれば、フィンガープリント情報を用いて広告再生有無を実時間で正確に把握することができ、クライアント端末機のチャネル識別情報を正確に確認することができるので、より精巧且つ正確な広告提供方法及びシステムを提供することができる。
【図面の簡単な説明】
【００４０】
【図１】本発明に係る放送に含まれた広告に関連した情報をクライアント端末機側へ提供するシステムと本発明が実現できる全体的な環境を示す図である。
【図２】本発明の好適な一実施例に係る広告関連情報提供システム１００とクライアント端末機２００の内部構成を示す図である。
【図３】関連情報管理部１１０に格納される広告それぞれに対する関連情報とフィンガープリント情報の一例を示す図である。
【図４】本発明に係る広告関連情報提供システム１００を介して関連情報がクライアント端末機２００へ提供される方法の一実施例を示す流れ図である。
【図５】本発明に係る広告関連情報提供システム１００を介して関連情報がクライアント端末機２００へ提供される方法の他の実施例を示す流れ図である。
【図６】本発明に係る広告関連情報提供システム１００を介して関連情報がクライアント端末機２００へ提供される方法の別の実施例を示す流れ図である。
【発明を実施するための形態】
【００４１】
以下、添付図面を参照して本発明に係る実施例を詳細に説明する。
図１は本発明に係る放送に含まれた広告に関連した情報をクライアント端末機側へ提供するシステムと本発明が実現できる全体的な環境を示す図である。
【００４２】
図１を参照すると、本発明に係る放送に含まれた広告に関連した情報を提供するシステム（以下、「広告関連情報提供システム」という。）１００は、クライアント端末機２００とネットワークを介して接続されており、放送事業者３００から放送を受信する。ここで、ネットワークとはインターネット網又は移動通信網などの概念を含む。広告関連情報提供システム１００は、放送事業者３００から放送を受信しながら、放送中に広告が含まれる場合、これを識別し、該当放送の提供を受けているクライアント端末機２００側へ、放送と関連して予め格納しておいた関連情報をネットワークを介して提供する。
【００４３】
放送事業者３００は、一般的な放送局などの地上波放送事業者、ケーブルＴＶ送出サービス事業者、ＤＭＢ放送送出サービス事業者、インターネットＴＶサービス事業者などのように現在の環境で一般に「放送(broadcasting)」と呼ばれる全ての種類の放送を提供する事業者をいう。図１において、放送事業者３００は、説明の便宜のために一つだけ表示したが、複数存在してもよい。
【００４４】
クライアント端末機２００は、放送事業者３００から提供される放送を受信し、ネットワークを介して、自分の受信している放送中に含まれている広告に関連した広告関連情報の提供を広告関連情報提供システム１００から受ける。また、クライアント端末機２００は、放送を受信すると同時にネットワークを介して広告関連情報提供システム１００に接続されるので、放送を受信することが可能な放送受信手段とネットワーク接続手段を備える。また、クライアント端末機２００は、受信される放送を表示することが可能な例えばＬＣＤ装置などのディスプレイ部を含む。このようなクライアント端末機２００は、例えば、最近広く販売されているスマートＴＶのようなものであってもよいが、スマートＴＶ(smart TV)とは、一般なＴＶに無線ＬＡＮモジュールなどのネットワーク接続手段を備えさせてウエブブラウザなどのプログラムが動作できるようにして、ユーザーがウエブサーフィンを行うか或いはいわゆるアプリケーションをダウンロードして実行することを可能とするＴＶをいう。また、クライアント端末機２００は、例えばＤＭＢ受信機能を備えた移動通信端末機であってもよいが、最近の移動通信端末機は、無線ＬＡＮ接続機能を備えるので、このような無線ＬＡＮ接続機能及びＤＭＢ受信機能をそれぞれネットワーク接続手段及び放送受信手段と看做すことができる。また、クライアント端末機２００は、物理的に一つの装置ではなく複数の装置から構成されてもよいが、例えば、一般な従来のＴＶとこのＴＶに連結して前述のようなスマートＴＶなどの機能を実現するようにするセットトップボックス(set-top box)によって構成されてもよい。このようなセットトップボックスは、スマートＴＶを別途購買することなく既存の一般ＴＶを用いてスマートＴＶの機能を実現可能にする補助装置であって、例えばアップル社のアップルＴＶ、Ｇｏｏｇｌｅ社のＧｏｏｇｌｅ  ＴＶなどの装置が市中に提供されており、これ以外にも最近その他の多様な形態で広く販売されている。このように、本発明におけるクライアント端末機２００は、放送受信手段とネットワーク接続手段を備えるものであればいずれの形態でも本発明にそのまま使用することができる。
【００４５】
次に、このような環境で行われる本発明の全体的な動作を概略的にまとめて説明する。
【００４６】
まず、クライアント端末機２００は、放送受信手段を介して放送事業者３００から放送を受信する。広告関連情報提供システム１００も放送事業者３００から放送を受信する。広告関連情報提供システム１００は、放送を受信する途中で、広告が含まれる場合、これを識別し、識別された広告に対応して予め格納しておいた関連情報を該当放送の提供を受けているクライアント端末機２００側へ伝送し、クライアント端末機２００は、これを受信してディスプレイ部に表示する。
【００４７】
本発明の具体的な実施例については図２以下を参照して詳細に説明する。
図２は本発明の好適な一実施例に係る広告関連情報提供システム１００とクライアント端末機２００の内部構成を示す図である。
【００４８】
図２を参照すると、まず、広告関連情報提供システム１００は、関連情報管理部１１０、広告情報識別部１２０、関連情報発送部１３０及びチャネル情報識別部１４０を含む。図１で説明したように、広告関連情報提供システム１００は放送事業者３００から放送を受信するので放送受信手段を含むが、これは従来の技術によって自明なものなので、放送受信手段及びこれに関連する一般な構成は省略したことに留意すべきである。
【００４９】
関連情報管理部１１０は、放送チャネルを介して提供される放送に含まれた広告それぞれに対して対応する関連情報を予め格納する機能を行う。ここで、放送チャネルは少なくとも一つの複数であってもよく、関連情報管理部１１０はこのような複数の放送チャネルを介して放送事業者３００から提供される広告それぞれに対して各広告に対応する関連情報を予め格納しておく。ここで、関連情報とは、例えば該当広告製品の割引クーポン情報、購買に関連した各種情報、該当製品を見ることが可能なウエブサイト情報、イベント情報などのように該当製品に関連した多様な形態の情報を意味する。このような関連情報は、別途の広告主又は広告サービス提供業社（図示せず）によって入力、編集できるようにすることにより、広告主又は広告サービス提供業社が必要に応じて該当広告に対する関連情報を簡便に変更することを可能にすることが好ましい。一方、必要な場合、関連情報管理部１１０は、広告それぞれに対する説明情報や広告の識別のために固有に与えられる識別子(identifier)など、その他の付随データをさらに含んでもよい。
【００５０】
また、関連情報管理部１１０は、広告それぞれに対してオーディオ、ビデオまたはこれらの組み合わせの少なくとも一つによるフィンガープリント情報を抽出し、抽出されたフィンガープリント情報を前記広告それぞれに対応して関連情報と共に格納するようにすることができる。ここで、フィンガープリント(fingerprint)情報とは、オーディオデータやビデオデータなどのデータの特徴を示す特徴データを意味するもので、指紋データ、ＤＮＡデータまたは遺伝子データともいう。このようなフィンガープリント情報に関連しては従来の技術によって様々な方式が提案されており、このようなフィンガープリント情報を活用すると、データの同一性有無を容易に判別することができるので、著作権管理（ＤＲＭ）分野などで最近幅広く用いられている。例えば、オーディオデータの場合、オーディオデータの特徴を示す各種特徴データ（例えば、周波数や振幅など）を用いてフィンガープリント情報を生成し、ビデオデータの場合、ビデオデータの様々な特徴データ（例えば、フレームのモーションベクトル情報や色相情報など）を用いてフィンガープリント情報を生成することができる。本発明は、このようなフィンガープリント情報を生成する方法自体を目的とするものではなく、従来の技術によるいずれのフィンガープリント生成／抽出方法もそのまま使用することができるので、これについての詳細な説明は省略する。本出願人によって出願された韓国特許出願第１０−２００７−００４４２５１号（オーディオフィンガープリントデータ生成方法及び装置とこれを用いたオーディオデータ比較方法及び装置）、同第１０−２００７−００５４６０１号（動画像データの同一性判断及び同一区間検出方法及び装置）、同第１０−２００７−００６０９７８号（互いに同一性のある動画像データ同士をクラスタリングする方法及びシステム）、同第１０−２００７−０００７１６３３号（動画像データクラスターを用いた動画像データ検索サービス提供方法及び装置）、同第１０−２００７−００９１５８７号（動画像データクラスターを用いた広告データ設定及び提供方法及び装置）、並びに同第１０−２００８−００５１６８８号（動画像処理方法及びその装置）によれば、オーディオ又はビデオデータのフィンガープリントデータを生成する方法及びこのようなフィンガープリントデータを用いてクラスタリングする方法について記載されており、このような本出願人のフィンガープリント生成及び抽出方法を本発明に使用することもできる。要するに、本発明は、フィンガープリント情報を抽出する方式がどのようなものであるかを問わず、従来の公知のフィンガープリント生成／抽出技術をそのまま使用することができる。
【００５１】
関連情報管理部１１０がそれぞれの広告に対して格納するフィンガープリント情報は、追って説明する広告情報識別部１２０で、放送中に、関連情報管理部１１０に格納されている広告が再生されているかを判別することに用いられる。後述するが、広告情報識別部１２０は、複数の放送チャネルを介して提供される放送を実時間で連続的にモニタリングしながら該当放送のオーディオ、ビデオまたはこれらの組み合わせの少なくとも一つによるフィンガープリント情報を実時間で例えば一定の時間単位で連続的抽出し、これを関連情報管理部１１０に前述したように格納されているフィンガープリント情報と比較することにより、関連情報管理部１１０に格納された広告のいずれか一つが放送されているかを判別することができる。勿論、フィンガープリント情報以外にも他の情報を用いて、放送中に広告が再生されているかを判別することもできるが、前述したようにフィンガープリント情報はオーディオ又はビデオデータの固有特徴を明確に示すので、フィンガープリント情報を用いることが好ましい。
【００５２】
図３は関連情報管理部１１０に格納される広告それぞれに対する関連情報とフィンガープリント情報の一例を示す図である。
【００５３】
図３を参照すると、広告フィールドにはそれぞれの広告の簡単な説明が含まれており、広告識別子フィールドにはそれぞれの広告に対して固有に与えられる識別子が含まれていることが分かる。関連情報としてはそれぞれ「５％割引クーポンの提供」、「www.ccc.comへのリンク」などの情報が含まれている。図３では、実際関連情報を示したのではなく、関連情報の内容を説明の便宜のために示したが、実際実現の際には、このような内容の関連情報の提供をクライアント端末機側のユーザーが受けられるようにするデータを含むことが好ましい。例えば、「５％割引クーポンの提供」の場合、このような内容の提供を実際ユーザーが受けられるようにするテキスト、オーディオ、ビデオデータなどの組み合わせによって構成されるウエブページを含むようにして、実際関連情報としてはこのようなウエブページがクライアント端末機側へ提供されるようにすることができ、このような場合、関連情報はこのようなウエブページを含むように構成することができる。例えば、「www.ccc.comへのリンク」の場合には、該当動作を行うためにハイパーリンクを含むウエブページが関連情報として格納できる。勿論、これ以外にも、関連情報は単純なテキストデータであって、該当テキストデータをクライアント端末機側へ提供される形で構成してもよい。後述するが、クライアント端末機２００は、広告関連情報提供システム１００によって伝送される関連情報を受信し、これをディスプレイ部に表示する。よって、関連情報はこのような処理を行うことができるように定義されたデータであることが好ましい。
【００５４】
図３の最後のフィールドにはそれぞれの広告に対するフィンガープリント情報が２進数で表現されている。前述したように、このようなフィンガープリント情報を用いて、広告情報識別部１２０は関連情報管理部１１０に含まれた広告が放送されているかを判別することができる。フィンガープリント情報は、例えば該当広告が動画像データの場合、該当動画像データの全体フレームに対する情報を含むことができるが、広告情報識別部１２０は、放送中に広告が始まる場合、実時間で広告が始まっていることを判別しなければならないので、該当広告の最初フレームから一定区間内のフレームまでに対するフィンガープリント情報を含むように構成してもよい。
【００５５】
次に、再び図２を参照して、広告関連情報提供システム１００の広告情報識別部１２０について説明する。広告情報識別部１２０は、放送チャネルを介して提供される放送途中で、前述したように関連情報管理部１１０に格納された広告が再生されるかを識別する機能を行う。これは、前述したように広告情報識別部１２０が放送チャネルを介して提供される放送のオーディオ、ビデオまたはこれらの組み合わせの少なくとも一つによるフィンガープリント情報を実時間で連続的に抽出し、抽出されたフィンガープリント情報と関連情報管理部１１０に予め格納しておいた広告それぞれに対するフィンガープリント情報とを比較することにより、関連情報管理部１１０に格納された広告が再生されるかを識別する方法によって行われる。ここで、広告情報識別部１２０は広告が再生される時点から短い時間内に広告再生有無を判別しなければならないが、これは、広告が通常２０秒、３０秒、１分などのように比較的短い時間内に完了し、この間に後述のようにクライアント端末機２００側へ関連情報を提供し、クライアント端末機２００側から関連情報に基づいた追加動作要請がある場合、これを処理しなければならないためである。よって、広告情報識別部１２０は比較的短い区間に対して放送画面のオーディオ又はビデオデータのフィンガープリント情報を抽出することが好ましい。広告情報識別部１２０は、このような方式によって放送される画面に広告が含まれること、すなわち広告が再生されていることを判別すると、これを該当チャネルの情報と共に関連情報発送部１３０へ知らせる。
【００５６】
関連情報発送部１３０は、前述したように広告情報識別部１２０で識別された広告について関連情報管理部１１０に格納されている関連情報を検索し、検索された関連情報をネットワークを介してクライアント端末機２００側へ伝送する機能を行う。この際、広告関連情報提供システム１００に接続されているクライアント端末機２００のうち、識別された広告が含まれた放送を視聴しているクライアント端末機２００側でのみ関連情報を表示しなければならないが、これは次のような方法を使用することができる。
【００５７】
まず、クライアント端末機２００に、放送受信手段を介して自分が受信している放送チャネル識別情報を獲得する放送チャネル確認部２４０（図２参照）を備えるようにし、放送チャネル確認部２４０によって確認される放送チャネル識別情報を用いて関連情報を表示するか否かを決定することができる。このために、広告関連情報提供システム１００の関連情報発送部１３０は、関連情報を発送しながら、識別された広告が含まれた放送チャネルを示す放送チャネル識別情報を伝送し、クライアント端末機２００の関連情報表示部２５０は、放送チャネル確認部２４０で確認される放送チャネル識別情報と広告関連情報提供システム１００からの放送チャネル識別情報とを比較し、これらが一致すれば、該当関連情報をディスプレイ部２１０を介して表示するようにすることができる。もし一致しなければ、関連情報表示部２５０は受信される関連情報を無視する。
【００５８】
放送チャネル確認部２４０は、例えば、クライアント端末機２００がスマートＴＶであり且つ地上波デジタル放送ＳＢＳを視聴している場合、クライアント端末機２００にはこのようなチャネル情報がデジタル放送信号を介して提供されているので、クライアント端末機２００の放送チャネル確認部２４０はこれから放送チャネル識別情報を獲得することができる。放送チャネル確認部２４０は、チャネルが変更されるたびに或いは周期的に放送チャネル識別情報をアップデートするようにすることが好ましい。
【００５９】
一方、クライアント端末機２００の放送チャネルがどのようなものであるか分からない場合には、フィンガープリント情報を用いて放送チャネル識別情報を獲得することができる。すなわち、放送チャネル確認部２４０に、前述したようなフィンガープリント情報を抽出することが可能な機能を備えるようにし、自分が視聴している放送のフィンガープリント情報を実時間で連続的に抽出し、これをチャネル情報識別サーバー（図示せず）へ伝送するようにし、チャネル情報識別サーバーでクライアント端末機２００の放送チャネル識別情報を把握し、これをクライアント端末機２００へ伝送することにより、放送チャネル識別情報を獲得するようにすることができる。
【００６０】
チャネル情報識別サーバーは、放送事業者３００から提供される全ての放送に対して実時間で前述のような方法でフィンガープリント情報を抽出し、これをクライアント端末機２００の放送チャネル確認部２４０から伝送されてくるフィンガープリント情報と比較することにより、クライアント端末機２００が現在受信している放送のチャネル情報を確認し、これをクライアント端末機２００へ伝送する機能を行う。このようなチャネル情報識別サーバーは、全ての放送チャネルに対してフィンガープリント情報を実時間で把握しているので、クライアント端末機２００の放送チャネル確認部２４０からフィンガープリント情報が受信される場合、それらの情報を比較することにより、クライアント端末機２００がどの放送チャネルを視聴しているかを正確に把握することができる。このようにチャネル情報識別サーバーでクライアント端末機２００が受信している放送のチャネル情報が確認されると、確認された放送のチャネル情報をクライアント端末機２００へ伝送し、クライアント端末機２００の放送チャネル確認部２４０は自分が視聴している放送チャネル識別情報を獲得することができる。
【００６１】
一方、チャネル情報識別サーバーは、広告関連情報提供システム１００とは物理的に分離された別途の装置でありうるが、図２においてチャネル情報識別部１４０で示したように、広告関連情報提供システム１００の内部に含まれるように構成してもよい。
【００６２】
次に、広告関連情報提供システム１００に接続されているクライアント端末機２００のうち、識別された広告が含まれた放送を視聴しているクライアント端末機２００側でのみ関連情報を表示するようにする第２の方法について説明する。
【００６３】
第２の方法は、広告関連情報提供システム１００において、まずクライアント端末機２００から放送チャネル識別情報の伝送を受け、識別された広告を再生しているクライアント端末機２００を確認し、確認されたクライアント端末機２００側にのみ関連情報を伝送する方式である。このために、クライアント端末機２００は、前述したような放送チャネル確認部２４０によって、自分が現在受信して再生している放送チャネルの識別情報を獲得し、これを広告関連情報提供システム１００へ伝送することができる。この場合、放送チャネル確認部２４０が現在受信している放送チャネルの識別情報を自動的に広告関連情報提供システム１００へ伝送するようにし、或いは広告関連情報提供システム１００から放送チャネル確認要請信号が受信された場合、これに対応して現在受信している放送チャネルの識別情報を広告関連情報提供システム１００へ伝送するようにすることができる。
【００６４】
一方、クライアント端末機２００の放送チャネル確認部２４０は、フィンガープリント情報をチャネル情報識別サーバーへ伝送しながら時間情報を共に伝送するようにすることができる。これは、実際放送画面が送り出される過程で、クライアント端末機２００と広告関連情報提供システム１００が同一の放送画面を受信する時点が互いに異なる場合を処理するためである。このために、クライアント端末機２００の放送チャネル確認部２４０は前述したようにフィンガープリント情報をチャネル情報識別サーバーへ伝送しながら自分の時間情報（これは端末機に一般に内蔵されている時計によって獲得できる）を共に伝送するようにし、チャネル情報識別サーバーは前述したようにフィンガープリント情報に基づいてクライアント端末機２００のチャネル情報を識別しながら時間情報と広告関連情報提供システムの時間情報とを比較することにより、クライアント端末機２００と広告関連情報提供システム１００間の同一画面に対する時間差、すなわち時間オフセット(offset)情報を獲得することができる。この際、チャネル情報識別サーバーが広告関連情報提供システム１００とは別途の装置として存在する場合であれば、これらは互いに同期化されているように設定されていることが好ましい。広告関連情報提供システム１００の内部に図２のチャネル情報識別部１４０のような形で構成された場合であれば、チャネル情報識別サーバーは広告関連情報提供システム１００と同期化されていると看做すことができる。一方、広告関連情報提供システム１００の時間情報は例えばＧＭＴ(Greenwich Mean Time)などのように絶対時間情報を使用することが好ましい。チャネル情報識別サーバーは、フィンガープリント情報を比較しながら、これと共に絶対時間情報とクライアント端末機２００から伝送されてきた時間情報とを比較することにより、同一の画面に対する時間差、すなわち時間オフセット情報を把握することができる。チャネル情報識別サーバーは、時間オフセット情報が獲得されると、クライアント端末機２００側へ時間オフセット情報を伝送する。時間オフセット情報はチャネル情報と共に伝送できる。
【００６５】
時間オフセット情報が獲得されると、関連情報発送部１３０は、広告情報識別部１２０で識別された広告を再生しているクライアント端末機２００側へ、関連情報管理部１１０に格納されている関連情報と共に絶対時間情報を伝送し、これを受信したクライアント端末機２００は、時間オフセット情報に基づいて関連情報をクライアント端末機２００のディスプレイ部に表示するようにすることができる。
【００６６】
次に、クライアント端末機２００について説明する。
クライアント端末機２００は、ディスプレイ部２１０、放送受信手段２２０、ネットワーク接続手段２３０、放送チャネル確認部２４０、関連情報表示部２５０及びユーザー情報処理部２６０を含む。図１で説明したように、クライアント端末機２００は、様々な形態で提供される放送を受信することが可能な機能と、インターネットなどのネットワークに接続することが可能な機能を備えるもので、例えばスマートＴＶ、ＤＭＢ受信機能を備える移動通信端末機、ＩＰＴＶなどのものである。クライアント端末機２００の構成の中でも特にディスプレイ部２１０、放送受信手段２２０及びネットワーク接続手段２３０は、従来の技術によって自明なものなので、詳細な説明を省略する。
【００６７】
放送チャネル確認部２４０は、放送受信手段を介して受信される放送チャネル識別情報を獲得する手段であって、これについては前述したように詳細に説明したので、詳細説明は省略する。
【００６８】
関連情報表示部２５０は、前述したような方法によって広告関連情報提供システム１００の関連情報発送部１３０から伝送されてくる関連情報をディスプレイ部２１０を介して表示するように制御する機能を行う。前述したように、関連情報表示部２５０は、広告関連情報提供システム１００から関連情報と共に放送チャネル識別情報を受信し、自分が現在視聴している放送チャネルと同一であるか否かを判別し、同一の場合にのみ該当関連情報を表示するようにすることができる。他の方法として、前述したように、広告関連情報提供システム１００から該当広告を視聴しているクライアント端末機２００のみに対して関連情報が伝送される場合、関連情報表示部２５０は該当関連情報を受信しながらディスプレイ部２１０に表示する。この際、関連情報表示部２５０は前述したように時間オフセット情報に基づいて表示するようにすることができる。
【００６９】
一方、関連情報表示部２５０が関連情報をディスプレイ部２１０を介して表示する方法は、様々な形態を使用することができるが、まず、受信した関連情報を、ディスプレイ部２１０を介して、現在受信している放送画面にオーバーレイ(overlay)して表示するようにすることができる。例えば、ディスプレイ部２１０の下端領域に現れる放送画面上に関連情報がオーバーレイしながら表示されるようにすることができる。この際の関連情報は、図３に示すような関連情報の内容を実際行うことを可能にするデータでありうるが、例えば「５％割引クーポンの提供」の場合、このような内容を行うことができるように該当内容をテキストデータで一定の時間表示し、ユーザーに該当クーポンの提供を受けられる方法、例えばハイパーリンクを提供してこれを選択するようにする情報を放送画面とオーバーレイしながら連続的に表示することができる。また、放送画面に表示される関連情報は例えば点滅、ロール方式などの形で提供されてもよい。
【００７０】
関連情報表示部２５０は、受信した関連情報を、ディスプレイ部２１０を介して、現在受信している放送画面とオーバーレイしないように部分的に表示するように構成してもよいが、これは、例えば関連情報を下端に棒状として提供するようにし、放送画面を関連情報が提供される領域だけ縮小して表示されるようにする方法によって提供できる。
【００７１】
一方、クライアント端末機２００のユーザー情報処理部２６０は、前述したように表示される関連情報に基づいたユーザーの入力信号を受信し、受信された入力信号に基づいた追加動作要請信号を広告関連情報提供システム１００又は外部の別途装置へ伝送する機能を行う。前述したように、関連情報として一方的にクライアント端末機２００側へ情報のみを提供する場合であれば、ユーザー情報処理部２６０は省略可能であるが、ユーザーに特定の動作を行わせる関連情報もある。例えば、関連情報として「５％割引クーポンの提供」を受けるためには特定のサイトに接続しろとか、特定の電話番号へショートメッセージを送出しろとかなど、ユーザーに追加動作を要求する場合がありうる。ユーザー情報処理部２６０はこの要求に応えてクライアント端末機２００のユーザーが追加動作要請信号を入力する場合、これを受信して広告関連情報提供システム１００又は外部のその他の別途装置（例えば、特定のウエブサイト）へ伝送するようにする機能を行う。このために、クライアント端末機２００はユーザーが入力信号を入力するようにする入力手段（例えば、キーボード、マウス、リモコン）を備えることが好ましい。
【００７２】
図４は前述したような広告関連情報提供システム１００を介して関連情報がクライアント端末機２００へ提供される方法の一実施例を示す流れ図である。
【００７３】
まず、クライアント端末機２００と広告関連情報提供システム１００は、図１で説明したように、放送事業者３００から伝送される放送を受信する（Ｓ１０、Ｓ２０）。前述したように、広告関連情報提供システム１００は、関連情報管理部１１０に予め放送チャネルを介して提供される放送に含まれた広告それぞれに対して対応する関連情報を格納しておいており、少なくとも一つの複数の放送事業者３００から複数の放送チャネルを介して複数の放送を受信しながら、放送中に、関連情報管理部１１０に格納されている広告が再生されるかを広告情報識別部１２０によって識別する（Ｓ１１）。この際、格納しておいた広告が再生されるかを識別することは、前述したように、関連情報管理部１１０に放送チャネルを介して提供される放送に含まれた広告それぞれに対して予め抽出しておいたオーディオ、ビデオまたはこれらの組み合わせの少なくとも一つによるフィンガープリント情報を前記広告それぞれに対応して関連情報と共に格納しておき、広告情報識別部１２０が放送チャネルを介して提供される放送のオーディオ、ビデオまたはこれらの組み合わせの少なくとも一つによるフィンガープリント情報を抽出し、抽出されたフィンガープリント情報と前記関連情報管理部１１０に予め格納しておいた広告それぞれに対するフィンガープリント情報とを比較することにより、前記関連情報管理部１１０に格納された広告が再生されるかを識別する方法を使用することができる。
【００７４】
広告が識別されると、広告関連情報提供システム１００の関連情報発送部１３０は、該当広告に対応して関連情報管理部１１０に格納されている関連情報を検索し（Ｓ１２）、接続された全てのクライアント端末機２００側へ前記検索された関連情報と放送チャネル識別情報を伝送する（Ｓ１３）。
【００７５】
次いで、関連情報と放送チャネル識別情報を受信したクライアント端末機２００は、前記受信した広告関連情報提供システム１００の放送チャネル識別情報と放送チャネル確認部２４０によって獲得された放送チャネル識別情報とを比較して一致するかを判断し（Ｓ２１）、一致する場合には関連情報をディスプレイ部を介して表示する（Ｓ２２）。この際、前述したように受信して再生される放送画面とオーバーレイし或いはオーバーレイしないようにするなどの方式で関連情報を表示する。段階Ｓ２１のために、前述したように、クライアント端末機２００は、放送チャネル確認部２４０によって自体的に放送チャネル識別情報を獲得し、或いはチャネル情報識別サーバーを介して自分が視聴している放送チャネル識別情報を獲得するようにすることができる。
【００７６】
関連情報が表示された場合、関連情報に基づいてクライアント端末機から追加動作要請信号が生成できるが、クライアント端末機２００に表示される関連情報に基づいてユーザーの入力信号を受信し（Ｓ２３）、受信された入力信号に基づいた追加動作要請信号を広告関連情報提供システム１００又は外部の別途装置へ伝送する（Ｓ２４）。図４では追加動作要請信号は広告関連情報提供システム１００にのみ伝送されるものと示したが、別途の外部装置へ伝送されてもよいのは勿論である。
【００７７】
図４の内容は図１〜図３で説明したのと同様なので、具体的な説明は省略し、図４では動作上の特徴についてのみ概略的に説明したことに留意すべきである。
【００７８】
図５は、本発明の広告関連情報提供システム１００を介して関連情報がクライアント端末機２００へ提供される方法の他の実施例を示す流れ図であって、図４の場合と比較するとき、広告関連情報提供システム１００が接続された全てのクライアント端末機へ関連情報を伝送せず、識別された広告を視聴しているクライアント端末機２００側にのみ関連情報を伝送する場合に関するものである。
【００７９】
段階Ｓ１０、Ｓ１１、Ｓ１２、Ｓ２０は図４と同様なので、詳細な説明は省略する。段階Ｓ１２の後、クライアント端末機２００は放送チャネル識別情報を広告関連情報提供システム１００へ伝送するが（Ｓ２５）、図５では説明の便宜のために段階Ｓ１２の後に行われるものと示したが、この段階Ｓ２５は必ずこのときに行われる必要はない。前述したように、クライアント端末機２００は、自分が受信して再生している放送チャネル情報を知っている場合、これを放送チャネル識別情報として広告関連情報提供システム１００へ伝送することができるが、これは例えば一定の時間周期毎に周期的に行われるか、或いはクライアント端末機２００でチャネルが変更されるたびに行われる方法を使用することができる。
【００８０】
このような過程によって、広告関連情報提供システム１００は、接続されているそれぞれのクライアント端末機２００が現在受信、すなわち視聴しているチャネル情報を知ることができる。よって、広告情報識別部１２０で識別された広告が再生されているクライアント端末機２００を特定することができ、関連情報発送部１３０は、これに基づいて該当クライアント端末機２００側へ前記検索された関連情報を伝送する（Ｓ１３）。この際、図４の段階Ｓ１３とは放送チャネル識別情報が含まれていないという点で異なる。
【００８１】
次に、関連情報を受信したクライアント端末機２００は受信した関連情報をディスプレイ部２１０を介して表示し（Ｓ２２）、以後の段階Ｓ２３、Ｓ２４を行うが、これらの段階Ｓ２２〜Ｓ２４は図４のそれと同様なので、詳細説明は省略する。但し、放送チャネル識別情報が不要なので、図４の段階Ｓ２１は行わない。
【００８２】
図６は本発明の広告関連情報提供システム１００を介して関連情報がクライアント端末機２００へ提供される方法の別の実施例を示す流れ図である。
【００８３】
図６は、図５と比較するとき、広告関連情報提供システム１００で格納しておいた広告が再生されることを識別し、関連情報を検索する段階（Ｓ１１、Ｓ１２）の後、関連情報発送部１３０が、広告関連情報提供システム１００に接続されているクライアント端末機２００へ、識別された広告を再生しているか否かを確認するための放送チャネル確認要請信号を伝送し（Ｓ１４）、これに応えてクライアント端末機２００が放送チャネル識別情報を伝送する（Ｓ２５）という点でのみ異なる。すなわち、図６の場合は、図５のようにクライアント端末機２００がまず自分の受信して再生している放送のチャネル情報を広告関連情報提供システム１００へ伝送するのではなく、図５の場合とは放送チャネル確認要請信号を受信した場合にのみ放送チャネル識別情報を伝送するという点で異なる。その他の過程は図５の場合と同様なので、詳細な説明は省略する。
【００８４】
以上、本発明の好適な実施例を参照して本発明を説明したが、本発明はこれらの実施例に限定されるものではなく、多様な形態の変形及び修正を加え得る。例えば、クライアント端末機２００は、放送受信手段とネットワーク接続手段を有する全種類の端末機であって、前述したようなスマートＴＶ、ＤＭＢ受信機能を有する移動通信端末機だけでなく、インターネットで提供される放送を受信するコンピュータ、タブレットＰＣ、移動通信端末機も含むことができる。また、放送の概念は、一般な放送形態だけでなく、例えばインターネットで提供されるサッカー中継などの全ての形態の実時間ストリミングサービスやＶＯＤ(Video on demand)などの形態も含むことができる。
【図１】
0005530028.tif 000002
【図２】
0005530028.tif 000003
【図３】
0005530028.tif 000004
【図４】
0005530028.tif 000005
【図５】
0005530028.tif 000006
【図６】
0005530028.tif 000007